(57)【特許請求の範囲】
【請求項１】
陰唇間に装着される陰唇間パッドであって、
液透過性の表面シートと、液不透過性のフィルムからなる裏面シートと、前記両シート間に配置された下面は平らで上に向かって凸状をなした略三角形の断面を有し、親水性処理をした発泡シートである吸収体とからなるパッド本体と、該パッド本体の両側縁から側方に延出したウイングとを備え、
前記ウイングは前記吸収体の下面に沿って配置された裏面シートで形成されており、かつその非肌当接面側に粘着層が形成されており、
前記裏面シートの非肌当接面側に指挿入口が形成され、前記指挿入口は前記裏面シートに接合された他のシートとの間に形成されていることを特徴とする陰唇間パッド。
【請求項２】
請求項１に記載された陰唇間パッドにおいて、
前記ウイング部材は、表面シートと熱接合されていることを特徴とする陰唇間パッド。
【発明の詳細な説明】
【技術分野】
【０００１】
本発明は、生理用ナプキンなどの吸収性物品の位置ズレに伴う経血等の体液の漏れを防止するため、陰唇間に装着する陰唇間パッドに関する。
【背景技術】
【０００２】
吸収体を備え経血などの体液を吸収する吸収性物品として女性用生理用品が広く用いられている。生理用品は一般に下着やショーツなどに取付けて用いるため、着用者の衣類の動きに従って動き、着用者の股間部との密着性が低下して、着用者と生理用品との間の隙間を伝って経血が漏れてしまうことがあった。
そこで、生理用ナプキンに補助具を用いて、身体との密着性を向上し、経血の漏れを防止するようにすることが行われているが、これらの補助具は、生理用ナプキンに接合して用いられることから、着用者の活動時に生理用ナプキンに位置ズレやヨレ等の変形が生じた場合には、補助具も一緒に位置ズレや変形を起こしてしまうことになる。
【０００３】
そこで、着用者の股間部との密着性を維持しながら、装着ズレを起こした場合であっても経血などの体液のモレの発生を低減できるようにするため、吸収物品取付用補助パッドを、着用者の内股に密着して体液を吸収する吸収体と、この吸収体を被覆するカバーシートからなる吸収シート体と、生理用ナプキンに取り付けるための粘着剤が身体と反対側に塗布された吸収シート体と、前記吸収体と接合シート体とを繋ぐ連結茎体で構成し、これを生理用ナプキンに取り付けることで、着用中生理用ナプキンが動いても連結茎体が介在することにより、吸収シート体が常に着用者の内股に密着できるようにしたものが提案されている（特許文献１参照）。
【０００４】
また、補助パッドを身体側に凸になるように折り曲げ、その状態で生理用ナプキンに粘着剤で直接取り付けるものであって、補助パッドの生理用ナプキンに対する取付位置の位置決めを容易にするため、生理用ナプキンの身体側に案内溝（圧搾溝）を形成し、この圧搾溝を目安に補助パッドを取り付け、かつ補助パッドの肌当接面に粘着剤を塗布して、着用者の臀部に補助パッドを密着させるようにしたものも知られている（特許文献２参照）。
【０００５】
更に、陰唇間に直接パッドを装着する陰唇間パッドも知られている（特許文献３参照）。
この陰唇間パッドは、その反身体（非肌当接面）側に指挿入用口を形成するためのミニシート片を備え、その指挿入用口から指を挿入し、他方の手の指で陰唇を開きながら陰唇内の適当な位置に装着される。また、使用後に取り出すときも前記指挿入用口から指を挿入して取り出すことで、指を汚すことなく陰唇間パッドの取り替え等が可能である。
【０００６】
更に他の例として、特許文献４に記載された陰唇間吸収体（interlabial absorbent article）では、陰唇間パッドに指挿入用の保持用フラップ（retainer flap）を設け、この保持用フラップに指を挿入して前記パッドを陰唇間に装脱できるようにしている。
【０００７】
しかしながら、特許文献１に記載されたものは、補助パッドとナプキンとの間を連結茎体で連結する構造であるから、連結のための特別の部材を要しその構造は複雑であり、その分コストも掛かる。さらに、この構造では、連結茎体が補助パッドを支える機能を有しなければ身体と密着性を維持できないが、このような構造では違和感を生じてしまう。また、特許文献２に記載されたものでは、特許文献１の補助パッドに比して構造は簡単であるが、補助パッドを直接股間に接合するものであるから、汗などにより接合が離れないとも限らず、そのため接合力を強化すると、使用後に外し難くなる虞がある。更に特許文献３，４に記載された陰唇間パッド（陰唇間吸収物品）では、経血が多い場合などには吸収できず漏れる虞がある。そのような場合に生理用ナプキンを併用するにしても生理用ナプキンと接合する手段を有さず、また、陰唇間部は生理用ナプキンを密着させるための応力が及び難い部位であることから、同ナプキンとの間に隙間ができてそこから経血等が漏れる虞があり、さらに陰唇間パッドの交換時にパッドが床に落ちる等の不都合が生じる。
【０００８】
【特許文献１】特開２００３−３８５６０号公報
【特許文献２】特開２００３−３８５６４号公報
【特許文献３】ＷＯ２００２／０９４１４６号公報
【特許文献４】ＷＯ２００４／０６０２４７号公報
【発明の開示】
【発明が解決しようとする課題】
【０００９】
本発明は、以上で述べた従来の補助パッド又は陰唇間パッドの問題に鑑みてなされたものであって、その目的は、陰唇間パッドを陰唇間に装着し経血などの体液を吸収すると共に、使用中の違和感が無く、ずれにくく、手を汚さずに脱着可能にすることと、経血量が多いときや長時間取り替えられないときに、生理用ナプキン等の併用パッドと併用できるようにして、さらに漏れ難くすることである。
【課題を解決するための手段】
【００１０】
請求項１の発明は、陰唇間に装着される陰唇間パッドであって、液透過性の表面シートと、液不透過性のフィルムからなる裏面シートと、前記両シート間に配置された下面は平らで上に向かって凸状をなした略三角形の断面を有し、親水性処理をした発泡シートである吸収体とからなるパッド本体と、該パッド本体の両側縁から側方に延出したウイングとを備え、前記ウイングは前記吸収体の下面に沿って配置された裏面シートで形成されており、かつその非肌当接面側に粘着層が形成されており、前記裏面シートの非肌当接面側に指挿入口が形成され、前記指挿入口は前記裏面シートに接合された他のシートとの間に形成されていることを特徴とする。
請求項２の発明は、請求項１に記載された陰唇間パッドにおいて、前記ウイング部材は、表面シートと熱接合されていることを特徴とする。
なお、経血その他の体液吸収を目的とし陰唇間に装着する衛生用品を総称して陰唇間パッドという。
【００１１】
（作用）
本発明に係る陰唇間パッドは、非肌当接面側（身体側と反対側）に設けた指挿入口に利き手の指を挿入し、他方の手の指で陰唇を開き前記パッドを装着する。その際、前記パッドの側方に延在している前記フラップが、前記パッドを持った手を覆い股間部の汚れがつかないように保護する。
また、陰唇間パッドは、そのウイングに設けた粘着層によりショーツまたは経血ナプキンなどの併用パッドに一体に接合されるから、使用後にショーツまたは併用パッドと一緒に外すことができ、前記陰唇間パッドだけが落下することはない。
さらに、ショーツなどから使用済み陰唇間パッドを外すときも、前記指挿入口に指を挿入して容易に外すことができる。その際、指挿入部は液不透過性シートで吸収体から隔離されているから、指が汚れることがない。
【発明の効果】
【００１２】
本発明によれば、ウイング（フラップ）があるため陰唇部への装着時に手を汚すことがなく、また使用時にショーツなどを汚すことがない。
更に、使用後は、ウイングと接合したショーツまたは併用パッドと一緒に外すことができ落下の恐れがなく、外した後、陰唇間パッドに指を挿入してショーツや併用パッドから容易に引き剥がすことができる。
また、装着は陰唇間パッドに指を挿入して行えるため容易であるだけではなく、直接陰唇部に触れることがないから衛生的であり、かつ手を汚すことがない。また、指挿入が容易なため、汚れている表面部分に触れる必要がなく取り扱い易い。
【発明を実施するための最良の形態】
【００１３】
本発明の陰唇間パッドの１実施形態について図面を参照して説明する。
図１Ａは、本発明の第１の実施形態に係る陰唇間パッドの身体装着側からみた斜視図であり、図１Ｂは、その陰唇間パッド１０を非肌当接面側からみた平面図、図１Ｃは、図１Ａに示す陰唇間パッドの長手方向略中央部を横断する線Ｘ−Ｘで切断した断面図である。
第１の実施形態に係る陰唇間パッド１０は、図１Ａ及び図１Ｃに示すようにその身体側となる液透過性の表面シート１２と、非肌当接面側の液不透過性の裏面シート１３と、両シート間に挟まれた吸収体１４とからなるパッド本体１５を有し、吸収体１４を挟持した状態で両シート１２、１３を例えばヒートシール、高周波シール等の周知の熱接合手段で接合して吸収体１４を封止している。裏面シート１３の下側には、更に別のウイング形成用シート１６を配置し、図示のように上に向かって凸状となるよう二つ折りしてそのパッド本体１５のシールした表面シート１２及び裏面シート１３の両端間に所定の間隔を持たせてウイング形成用の液不透過性のウイング形成用シート１６を熱接合する。
【００１４】
ウイング形成用シート１６と表面シート１２及び裏面シート１３を以上のように熱接合することにより、パッド本体１５の裏面シート１３とウイング形成用シート１６との間には断面略３角形の指挿入口（又は指挿入空間）２０が形成される。
ウイング形成用シート１６は、図１Ａ及び図１Ｃに示すように、前記パッド本体１５の側縁から横方向に所定の長さ延在してウイングＷを形成する。このウイングＷには、図１Ｃ中でウイングＷの下側、つまり非肌当接面側には、陰唇間パッド１０を図示しないショーツや併用パッドに接合するための、例えば略矩形の粘着層１８がそれぞれ対称の位置に設けられている。
【００１５】
前記ウイングＷは、この実施形態ではウイング形成用シート１６で形成され、このシート１６に表面シート１２と裏面シート１３をヒートシール等で熱接合しているが、表面シート１２，裏面シート１３，ウイング形成用シート１６を一体に接合してウイングＷを形成するものであってもよい。
【００１６】
図２Ａは、本発明の第２の実施形態に係る陰唇間パッドの身体装着側からみた斜視図であり、図２Ｂは、その陰唇間パッド１０を非肌当接面側からみた平面図である。
第２の実施形態に係る陰唇間パッド１０と、前記第１の実施形態に係る陰唇間パッド１０とは、第１の実施形態ではそのウイングＷを吸収体１４の長手方向に沿ってその側縁部全長に亘って横に延在させた構成であるのに対し、第２の実施形態はその略中央部分にのみ所定の幅で延在させた点で相異するのみで、その断面形状を含め他の構成は同一である。
【００１７】
この実施形態では、ウイング形成用シート１６は、ウイングＷの幅と同じ幅の帯状であっても、或いは、パッド本体１５の長手方向長さと同じ長さに形成し、ウイングＷの部分のみを細幅に形成してもよい。
なお、パッド本体１５及びウイングＷの形状は以上の実施形態に限らず任意であり、パッド本体１５は円形、楕円形、矩形或いは一方のみの幅を大きくしたもの、また構成も一体のものに限らず左右二つのパッド本体を張り合わせたもの等でもよく、またウイングＷも例えば、半円形その他の形状であってもよい。
【００１８】
図３は、陰唇間パッド１０の第３の実施形態を示す。
この陰唇間パッド１０は、身体側の液透過性の表面シート１２と、非肌当接面側の液不透過性の裏面シート１３と、両シート間に内包された吸収体１４とからなるパッド本体１５を備えているが、吸収体１４が図示のように下面は平らで上に向かって凸状をなした略三角形の断面を有し、裏面シート１３がその吸収体１４の下面に沿って配置されている。裏面シート１３は、その両側縁からさらに横方向に延在して、表面シート１２と接合した状態でウイングＷを形成している。
【００１９】
このウイングＷの図示下側つまり非肌当接面側には、陰唇間パッド１０を図示しないショーツまたは併用パッドに接合するため、図１Ｂに示したと同様の粘着層１８が左右対称に設けられており、裏面シート１３の更に非肌当接面側には、裏面シート１３との間に指挿入部（挿入口）２０を構成するための別のシート１７が取り付けられている。また、ウイングＷは、図１Ｂ、２Ｂに示すいずれの形状であってもよい。
【００２０】
なお、吸収体１４、従ってパッド本体１５の形状は、ここでも特に限定されるものではなく、矩形、円形、楕円形等、いずれも採用可能であるが、図３に示すように吸収体の中央部を端部より厚く隆起した断面略３角形にすることで、吸収容量が大きくかつ着用感が優れた陰唇間パッドとすることができる。
【００２１】
以上で説明した陰唇間パッド１０を装着するには、陰唇間パッド１０の指挿入部２０に利き手の人差し指を挿入し、他方の手の指で陰唇を開き表面シートを陰唇内に装着して陰唇との摩擦力や陰唇部の閉じる力により保持する。
装着の際、陰唇間パッド１０のウイングＷは挿入部２０に挿入した指以外の指をカバーするため、経血などで指が汚れるのを防止できる。
【００２２】
ここで、裏面シート１３を表面シートと同様に液透過性シートにするか或いは液不透過性シートに複数の通液孔を設けた構成とし、陰唇間パッド１０の裏面シート１３を、例えば図示しない生理用ナプキンに接触させた状態で前記ウイングＷをその粘着層１８でショーツに接合することで、陰唇間パッド１０の吸収体１４に吸収された経血等の体液を吸収させることができる。
【００２３】
とくに経血が多い場合、経血が前記陰唇間パッド１０の吸収体１４の吸収容量を越え前記陰唇間パッド１０から漏洩することがあるが、この陰唇間パッド１０では、一体に接合した生理用ナプキンで経血を吸収できるので外に漏れる恐れはない。
また、ウイングＷが前記陰唇間パッド１０の吸収体１４の側方に延在しているのでショーツや生理用ナプキンを汚れから保護することができる。
【００２４】
使用後は、一体に接合されたショーツ又は生理用ナプキンなどの併用パッドと一緒に外すことができるため、汚れた陰唇間パッド１０を取扱中に誤って落とすことがなく安心して取り替えが可能である。また、裏面シート１３で経血等の体液を不透過にしたものでは、ショーツを下ろした後、その指挿入部に再度指を挿入して前記パッド１０を持ち上げるのみで、指を汚すことなくショーツから引き剥がし、廃棄のための作業を容易に行うことができる。
【００２５】
本実施例の陰唇間パッド１０に用いる表面シート１２，裏面シート１３及び吸収体１４の材料は、特に制限されず、例えば、通常の生理用ナプキンや陰唇間パッドに用いられるものが用いられる。
表面シート１２としては、例えば、親水性且つ液透過性不織布や、開孔フィルムを用いることができる。また、裏面シート１３としては液不透過性のフィルム等を用いることができる。
【００２６】
即ち、上記裏面シート１３並びにウイングＷの材料としては、ポリオレフィン、オレフィンとアクリル酸エステル、酢酸ビニル等の他のビニルモノマーとの共重合体、ポリエステル、ポリアミド又はポリマーブレンド系等の疎水性熱可塑性樹脂等が挙げられ、これらのうちでも、風合い、取り扱いの面からポリオレフィンもしくはオレフィンと他のビニルモノマーとの共重合体、またはポリマーブレンド系の疎水性熱可塑性樹脂が好ましく、単独若しくは混合物として用いることができる。また、疎水性熱可塑性樹脂を成形して、シートにする等して得られるフィルムを、裏面シート１３並びにウイングＷとして用いることができる。更に、前記疎水性熱可塑性樹脂には、ＴｉＯ2 やタルク等の無機フィラーを内添し、得られるフィルムのカバーリング性や表面べたつきを抑えるのが好ましい。また、上記シートを２つ以上用いて形成した積層シートからなるフィルムは、本発明における上記裏面シート１３並びにウイングＷとして、特に好ましく用いることができる。
【００２７】
表面シート１２は、上記裏面シート１３並びにウイングＷの材料と同様のものを用いることができるが、直接に着用者の肌に接するものであるため、柔軟で着用感を阻害しない液透過性のある周知の材料を使用する。例えば、繊維シート、開孔繊維シート、開孔フォームフィルム、スルーエア不織布、ポイントボンド不織布、スパンレース不織布、メルトブロン不織布等を使用することができる。繊維材料としては、セルロース繊維、レーヨン、アセテート、また、天然セルロース繊維を使用することができる。なお、陰唇間パッドを例えば生理用ナプキンなどと併用する場合は、裏面シート１３を表面シートと同様に液透過性シートを用いるとよい。
【００２８】
吸収体１４は、液透過性材料と同様に、陰唇部分又は陰唇付近に当たるため柔軟な周知の材料、例えば、パルプ、レーヨン、コットン等の親水性繊維の積繊体や、これに高吸収性ポリマーの粒子を分散混合したものなど公知のものを特に制限無く用いることができる。
材料例としては、解繊パルプを主材とし、高分子吸水ポリマーを併用したものが好ましく、そのほか熱可塑性樹脂、セルロース繊維、高分子吸水ポリマーの混合物に熱処理したものなどが好ましい。高分子吸水ポリマーは、パルプと混合したものであってもよく、デンプン−アクリル酸（塩）グラフト共重合体、デンプン−アクリロニトリル共重合体のケン化物、ナトリウムカルボキシメチルセルロースの架橋物、アクリル酸（塩）重合体などが好ましい。
【００２９】
更に吸収体１４の他の材料としては、ティッシュ、親水性処理を施した発泡シート、親水性処理を施したメルトプロン不織布、親水性繊維を主体とした繊維ウエブ、繊維ウエブをシート化することにより得られるスパンレース不織布、サーマルボンド不織布等の不織布材料から選ばれるシート若しくは粉砕状物、エアレイドバルブ不織布などが挙げられる。
【００３０】
粘着層１８の粘着剤には、ＳＢＳ（スチレン−ブタジェン−スチレンブロック共重合体）、ＳＩＳ（スチレン−イソプレン−スチレンブロック共重合体）などの合成ゴムを主体としたホットメルトから選ぶことが望ましい。このような粘着剤は、面状、筋状、ドット状、螺旋状などのパターンであってもよい。
【図面の簡単な説明】
【００３１】
【図１】図１Ａは本発明の第１の実施形態に係る陰唇間パッドの身体装着側からみた斜視図、図１Ｂはその反身体取付側からみた平面図、図１Ｃは図１Ａの線Ｘ−Ｘに沿った断面図である。
【図２】図２Ａは本発明の第２の実施形態に係る陰唇間パッドの身体装着側からみた斜視図、図２Ｂはその反身体取付側からみた平面図である。
【図３】本発明の第３の実施形態に係る断面構造を示す図１Ｃと同様の断面図である。
【符号の説明】
【００３２】
１０・・・陰唇間パッド、１２・・・表面シート、１３・・・裏面シート、１４・・・吸収体、１５・・・パッド本体、１６・・・ウイング形成用シート、１８・・・粘着層、Ｗ・・・ウイング。
【図１】
0004693109.tif 000002
【図２】
0004693109.tif 000003
【図３】
0004693109.tif 000004